(57)【要約】無線通信ネットワーク・エンティティ（４００）、および例えば冗長性を含む巡回冗長符号のような第１の符号語を形成するために、誤り訂正符号を使用してデータが符号化されるこのエンティティで使用するための方法。第２の符号語は、第１の符号語の一部上で追加データを符号化することにより生成される。この場合、追加データが符号化される第１の符号語の一部は、第１の符号語の誤り訂正能力に含まれている。
2009538050.tif 000002
【特許請求の範囲】
【請求項１】
無線通信ネットワーク・エンティティで使用するための方法であって、
冗長性を含む第１の符号語を形成するために、誤り訂正符号を使用してデータを符号化するステップと、
前記第１の符号語の一部上で追加のデータを符号化することにより、第２の符号語を生成するステップと、を含み、
追加のデータが符号化される前記第１の符号語の前記一部が、前記第１の符号語の誤り訂正能力に含まれる方法。
【請求項２】
ファイア（ＦＩＲＥ）符号で前記データを符号化することにより前記第１の符号語を形成するステップを含む請求項１に記載の方法。
【請求項３】
前記第１の符号語の前記一部上で前記追加データを排他的論理和することにより、前記第２の符号語を生成するステップを含む請求項１に記載の方法。
【請求項４】
前記第１の符号語の前記一部を前記追加データで置換することにより、前記第２の符号語を生成するステップを含む請求項１に記載の方法。
【請求項５】
前記第１の符号語の隣接していない部分上で前記追加データを符号化することにより、前記第２の符号語を生成するステップを含む請求項１に記載の方法。
【請求項６】
前記第１の符号語の前記一部上で肯定応答情報を符号化することにより、前記第２の符号語を生成するステップを含む請求項１に記載の方法。
【請求項７】
請求項１に記載の方法であって、
ファイア（ＦＩＲＥ）符号を使用して前記データを符号化することにより前記第１の符号語を形成するステップと、
前記第１の符号語の一部上で肯定応答情報を排他的論理和することにより前記第２の符号語を生成するステップと、を含む方法。
【請求項８】
前記第１の符号語の隣接する部分上で前記追加データを排他的論理和することにより前記第２の符号語を生成するステップと、を含む請求項７に記載の方法。
【請求項９】
前記第２の符号語を符号化するステップを含む請求項１に記載の方法。
【請求項１０】
無線通信エンティティであって、
データからおよび誤り訂正符号から、冗長性を含む第１の符号語を生成するように構成されているコントローラを備え、
前記コントローラが、前記第１の符号語の一部上で追加データを符号化することにより第２の符号語を生成するように構成され、
前記第１の符号語の前記一部が、前記第１の符号語の誤り訂正能力内に含まれる無線通信エンティティ。
【請求項１１】
前記コントローラが、データおよびファイア（ＦＩＲＥ）符号から前記第１の符号語を生成するように構成される請求項１０に記載のエンティティ。
【請求項１２】
前記コントローラが、前記第１の符号語の前記一部上で前記追加データを排他的論理和することにより前記第２の符号語を生成するように構成される請求項１０に記載のエンティティ。
【請求項１３】
前記コントローラが、前記第１の符号語の前記一部を、前記追加データで置換することにより、前記第２の符号語を生成するように構成される請求項１０に記載のエンティティ。
【請求項１４】
前記コントローラが、前記第１の符号語の隣接していない部分上で前記追加データを符号化することにより、前記第２の符号語を生成するように構成される請求項１０に記載のエンティティ。
【請求項１５】
前記コントローラが、前記第１の符号語の前記一部上で肯定応答情報を符号化することにより、前記第２の符号語を生成するように構成される請求項１０に記載のエンティティ。
【請求項１６】
前記コントローラが、データからおよびファイア（ＦＩＲＥ）符号から前記第１の符号語を生成するように、また前記第１の符号語の一部上で肯定応答情報を排他的論理和することにより第２の符号語を生成するように構成される請求項１０に記載のエンティティ。
【請求項１７】
無線通信ネットワーク・エンティティで使用するための方法であって、
第１および第２の誤り訂正符号を使用して、符号語からデータおよび追加データを復号するステップと、
第１または第２の誤り訂正符号を使用して、前記データおよび前記追加データ内のエラーを検出するステップと、
エラー検出中に複数の許可された残りの部分を形成するステップと、を含む方法。
【請求項１８】
畳み込み符号および巡回冗長符号を含む符号語から、前記データおよび前記追加データを復号するステップを含む請求項１７に記載の方法。
【請求項１９】
前記巡回冗長符号を使用して、前記データおよび前記追加データ内のエラーを検出するステップを含む請求項１７に記載の方法。
【請求項２０】
畳み込み符号およびファイア符号を含む符号語から、前記データおよび前記追加データを復号するステップを含む請求項１７に記載の方法。
【発明の詳細な説明】
【技術分野】
【０００１】
本発明は、概して、無線通信に関し、特に、例えば、無線通信ネットワークでのエンティティ間の通信に対する巡回冗長符号のような誤り訂正符号で情報を符号化することにより形成される符号語の一部上への追加情報の符号化、および対応するエンティティおよび方法に関する。
【背景技術】
【０００２】
ＶｏＩＰ（Ｖｏｉｃｅ  ｏｖｅｒ  Ｉｎｔｅｒｎｅｔ  Ｐｒｏｔｏｃｏｌ）、ＰｏＣ（Ｐｕｓｈ−ｔｏ−ｔｒａｎｓｍｉｔ  ｏｖｅｒ  Ｃｅｌｌｕｌａｒ）、およびビデオフォン・アプリケーション・ベースのサービスをユーザが快適に使用するには、待ち時間を短くする必要がある。国際電気通信連合（ＩＴＵ）によれば、例えば、アフリカ、ヨーロッパ、北米などのような領域内においては、ＶｏＩＰ呼の場合の一方向待ち時間は１５０ミリ秒程度であり、領域間ＶｏＩＰ一方向待ち時間は２００〜３００ミリ秒程度である。
【０００３】
ハイブリッド自動繰返し要求（ＨＡＲＱ）は、一般によく知られている。ＧＳＭで現在使用されているＥＧＰＲＳを使用すれば、定期的ポーリングにより、ＨＡＲＱを行うことができる。しかし、ポーリング機構こそが待ち時間の根本的な原因である。「ＧＥＲＡＮ  Ｅｖｏｌｕｔｉｏｎ  Ｆｅａｓｉｂｉｌｉｔｙ  Ｓｔｕｄｙ  ４５．９１２」の１０節には、ポーリングおよび／または連続的双方向データ・フローにより、ＡＣＫ／ＮＡＣＫメッセージを使用することができると記載されている。それ故、連続的双方向データ・フローがない場合には、連続的ポーリングを行わなければ短い待ち時間を保証することはできない。これはスペクトル的に非効率であり、レガシーの移動局とシームレスな相互動作を行うことができない。現在、無線通信ネットワークのオペレータは、ＩＰを通しての音声またはリアルタイムでのビデオ・ストリーミングのような短い待ち時間の用途をサポートするには、ＨＡＲＱを完全に動作不能にするか、スペクトル的に非効率的な方法でＨＡＲＱを作動しなければならない。
【非特許文献１】「ＧＥＲＡＮ  Ｅｖｏｌｕｔｉｏｎ  Ｆｅａｓｉｂｉｌｉｔｙ  Ｓｔｕｄｙ  ４５．９１２」の１０節
【発明の開示】
【発明が解決しようとする課題】
【０００４】
移動局間ＶｏＩＰ呼の場合には、自動繰返し要求（ＡＲＱ）を含む既存のＥＧＰＲＳプロトコルの待ち時間は、各アップリンクまたはダウンリンクに対して４２０ミリ秒程度である。この待ち時間は、領域間ＶｏＩＰの場合には、２００〜３００ミリ秒よりも長くなり、領域内ＶｏＩＰ呼の場合には１５０ミリ秒をかなり超える。
【課題を解決するための手段】
【０００５】
下記の詳細な説明を注意深く読み、以下の添付の図面をよく見れば、通常の当業者であれば本発明の種々の態様、機能および利点をよりよく理解することができるだろう。分かりやすくするために図面を簡略化してあるし、縮尺は必ずしも正確なものではない。
【発明を実施するための最良の形態】
【０００６】
図１の例示としての無線通信システム１００は、コア・ネットワーク１２０に通信可能に結合している１つまたは複数の無線アクセス・ネットワーク１１０を備える。例示としてのセルラ通信ネットワークは、例えば、ＧＳＭ／ＥＧＰＲＳおよびＥＤＧＥ（Ｅｎｈａｎｃｅｄ  Ｄａｔａ−ｒａｔｅｓ  ｆｏｒ  ＧＳＭ（ｏｒ  Ｇｌｏｂａｌ）  Ｅｖｏｌｕｔｉｏｎ）ネットワークのような３ＧＰＰ  ＧＥＲＡＮベースのネットワーク、および他の既存のおよび将来の世代のセルラ通信ネットワークの中の第三世代３ＧＰＰ  ＷＣＤＭＡネットワークを含む。
【０００７】
図１のアクセス・ネットワークは、通常、対応する地理的領域に分散しているセルラ・エリアにサービスを提供する複数の基地局１１２を含む。この場合、各基地局は、１つまたは複数のセルまたはセクタからなる。通常、１つまたは複数の基地局は、対応するコントローラ１１４と通信可能に結合している。基地局およびコントローラは、実施するネットワーク・プロトコルにより異なる呼び名で呼ぶことができる。例えば、ＧＳＭネットワークにおいては、基地局１１０を基地トランシーバ局（ＢＴＳ）と呼ぶこともでき、コントローラは基地局コントローラ（ＢＳＣ）である。ある種のＧＳＭネットワークも、パケット制御装置（ＰＣＵ）１１６を含む。ＵＭＴＳネットワークにおいては、基地局はノード・バンドと呼ばれ、コントローラは無線ネットワーク・コントローラ（ＲＮＣ）と呼ばれる。
【０００８】
図１のコア・ネットワーク１２０は、例えば、ＢＳＣおよびＲＮＣのようなコントローラに通信可能に結合している移動交換センター（ＭＳＣ）１２２を含む。ＭＳＣは、通常、公衆交換電話網（ＰＳＴＮ）および／またはＮｏ．７信号方式（ＳＳ７：Ｓｉｇｎａｌｉｎｇ  Ｓｙｓｔｅｍ  Ｎｏ．７）インタフェース（共通チャネル型通信パケット交換）を使用するＰＳＴＮであるサービス総合ディジタル網（ＩＳＤＮ）と通信可能に結合している。コア・ネットワークは、ホーム・ロケーション・レジスタ（ＨＬＲ）１２４、およびＭＳＣまたはある種の他のインフラストラクチャ・エンティティ内に位置していてもよい、ビジタ・ロケーション・レジスタ（ＶＬＲ）を含む。パケット・サービスを含むネットワークにおいては、コア・ネットワークは、ＰＣＵ１１６および／またはＲＮＣ１１４に通信可能に結合している、サービングＧＰＲＳ支援ノード（ＳＧＳＮ）１２６を含む。ＧＳＭネットワークにおいては、ＰＣＵはパケットをサポートする。ＳＧＳＮは、通常、例えば、インターネットのような他のパケット・データ・ネットワークに接続している、ゲートウェイＧＰＲＳ支援ノード（ＧＧＳＮ）１２８と通信可能に結合している。
【０００９】
基地局は、無線資源をスケジュールし、使用可能な無線資源によりデータを受信および／または送信するために、プロトコルにより異なる移動局（ＭＳ）またはユーザ装置（ＵＥ）と呼ぶことができる移動端末１０２と通信する。無線通信システム１００は、また、他のネットワーク・エンティティにより制御することができるデータ経路指示、入場制御、加入者課金、端末認証等を含む管理機能を行うための他のインフラストラクチャ・エンティティを含むこともできる。これらのエンティティは図示していないが、通常の当業者であれば周知のものである。
【００１０】
図２の一実施形態の場合には、例えば、基地局またはパケット制御装置（ＰＣＵ）のような無線通信インフラストラクチャ・エンティティ２００は、例えば、図１の端末１０２のようなネットワーク内のスケジュール可能な無線端末と通信するためのトランシーバ２１０を含む。インフラストラクチャ・エンティティは、トランシーバと通信可能に結合しているコントローラ２２０を含む。インフラストラクチャ・エンティティは、ネットワーク内の無線端末への無線資源の割当てを含むスケジューリング機能を行う。例えば、インフラストラクチャ・エンティティは、無線端末に１つまたは複数のタイムスロットを割り当てることができる。より一般的に言うと、割り当てられた無線資源は、時間−周波数資源であってもよい。一実施形態の場合には、コントローラは、スケジューリング・モジュール２２２またはスケジューリングを行うための他の論理エンティティを含む。スケジューリング・モジュールは、ソフトウェアで容易に実施することができる。
【００１１】
図２の無線通信インフラストラクチャ・エンティティ２００は、ダウンリンク・ブロック内の単一ブロック・アップリンク・スケジューリング・フィールド上で、無線通信端末に、例えば、肯定応答情報のような非スケジューリング情報を送信する。肯定応答情報は、例えば、情報が、１つまたは複数のその割り当てられたタイムスロット上で、第１の無線通信端末から受信したものか否かに基づいて端末に送信されるＡＣＫおよびＮＡＣＫ情報を含む。一実施形態の場合には、コントローラは、単一ブロック・アップリンク・スケジューリング・フィールド構成モジュール２２４、または非スケジューリング情報を含むダウンリンク・ブロックの単一ブロック・アップリンク・スケジューリング・フィールドを構成するための他の論理エンティティを含む。単一ブロック・アップリンク・スケジューリング・フィールド構成モジュールは、ソフトウェアで容易に実施することができる。単一ブロック・アップリンク・スケジューリング・フィールドを構成した後で、トランシーバは、ダウンリンク・ブロック内の無線端末に非スケジューリング情報を送信する。
【００１２】
ＧＰＲＳ／ＥＤＧＥアプリケーション用の一実施形態の場合には、ネットワーク・インフラストラクチャ・エンティティは、未使用の関連予約ブロック周期（ＲＲＢＰ）フィールドにより非スケジューリング情報を送信する。ＧＥＲＡＮにおいては、ＲＲＢＰフィールドは、ダウンリンクＲＬＣ／ＭＡＣブロック内の２ビット・データ・フィールドである。この実施形態の場合には、ダウンリンク・ブロックの単一ブロック・アップリンク・スケジューリング・フィールドは、ＲＲＢＰフィールドである。ＲＲＢＰ値は、通常、移動局が、３ＧＰＰ  ＴＳ４４．０６０  Ｖ６．１６．０、１０．４．５に規定されているように、ネットワークへパケット制御肯定応答メッセージまたはパケット・アクセス制御チャネル・ブロックを送信する単一アップリンク・ブロックを指定する。本発明によれば、ＲＲＢＰフィールドは、従来とは異なり、例えば、無線端末への肯定応答情報のような非スケジューリング情報を通信するために使用される。
【００１３】
ＧＰＲＳ／ＥＤＧＥ（ＧＥＲＡＮ）アプリケーションにおいては、通常、ネットワーク・インフラストラクチャ・エンティティは、ＲＲＢＰフィールドを有効にすることもできるし、無効にすることもできる。補足／ポーリング（Ｓ／Ｐ）ビットは、３ＧＰＰ  ＴＳ４４．０６０  Ｖ６．１６．０、１０．４．４が指定しているように、ＧＰＲＳ用途でＲＲＢＰフィールドが有効なのか無効なのかを表示するために使用される。Ｓ／Ｐビットが、「０」に設定されると、ＲＲＢＰは無効となり、「１」に設定されると、ＲＲＢＰは有効になる。ＥＤＧＥアプリケーションにおいては、ＥＳ／Ｐフィールドは、ＲＲＢＰフィールドが有効であるのか無効であるのか、次のアップリンク制御ブロックがどんなフィールドを含んでいるのかを表示するために使用される。図２の一実施形態においては、ネットワーク・インフラストラクチャ・エンティティ・コントローラは、イン／有効化モジュールの単一ブロック・アップリンク・スケジューリング・フィールド、または例えば、ダウンリンク・ブロックのＲＲＢＰフィールドのような単一ブロック・アップリンク・スケジューリング・フィールドを有効または無効にするための他の論理エンティティ２２６を含む。イン／有効化モジュールの単一ブロック・アップリンク・スケジューリング・フィールドは、通常、ソフトウェアで実施される。
【００１４】
レガシーおよび非レガシーの無線通信端末を含むＧＥＲＡＮベースのネットワークにおいては、ネットワーク・インフラストラクチャ・エンティティは、ネットワーク内のレガシーの端末に対するＲＲＢＰフィールドを有効にすることができる。レガシーの端末は、高速ハイブリッド自動繰返し要求（ＨＳ−ＨＡＲＱ）プロトコルに適合していないし、非レガシーの端末は、ＨＳ−ＨＡＲＱに適合している。
【００１５】
ＧＥＲＡＮネットワーク内のレガシーの端末に対してＲＲＢＰが有効になる一実施形態の場合には、ネットワーク・インフラストラクチャ・エンティティは、非レガシーの端末に対して使用可能な最短スケジューリング遅延として符号化されたＡＣＫ情報を含むＲＲＢＰフィールドを有するダウンリンク・ブロックを送信する。ＧＥＲＡＮネットワーク内のレガシーの端末に対してＲＲＢＰが有効になる他の実施形態の場合には、ネットワーク・インフラストラクチャ・エンティティは、非レガシーの端末に対して最短スケジューリング遅延を含んでいない使用可能なスケジューリング遅延として符号化されたＮＡＣＫ情報を含むＲＲＢＰフィールドを有するダウンリンク・ブロックを送信する。
【００１６】
ＧＥＲＡＮネットワーク内のレガシーの端末に対してＲＲＢＰが有効になるある実施形態の場合には、ネットワーク・インフラストラクチャ・エンティティは、非レガシーの端末に対する肯定応答情報を含むＲＲＢＰフィールドを有するダウンリンク・ブロックを送信し、ＲＲＢＰフィールドは、レガシーの端末に対するアップリンク・スケジューリング情報を含む。
【００１７】
ＧＥＲＡＮにおいては、ＲＲＢＰフィールドは、２ビット・データ・フィールドである。ＲＲＢＰフィールドが、レガシーの端末に対して有効である１つのＧＥＲＡＮアプリケーションにおいては、２ビット・データ・フィールドの一方のビットは、第１のアップリンク・ブロックに対する肯定応答情報を含み、２ビット・データ・フィールドの他方のビットは、第２の異なるアップリンク・ブロックに対する肯定応答情報を含んでいる。肯定応答データの２ビットの符号化を行うと、ＲＲＢＰフィールドを４つの可能な遅延値のうちの１つとして解釈するレガシーの移動となる。ＲＲＢＰフィールドが、レガシーの端末に対して有効なもう１つのＧＥＲＡＮアプリケーションにおいては、２ビット・データ・フィールドの一方のビットは、少なくとも２つの異なるアップリンク・データ・ブロックに対する肯定応答情報を含み、２ビット・データ・フィールドの他方のビットは、２つの異なるアップリンク・ブロックとは異なる１つのアップリンク・データ・ブロックに対する肯定応答情報を含んでいる。
【００１８】
ＲＲＢＰが、ＧＥＲＡＮネットワーク内のレガシーの端末に対して無効になる実施形態の場合には、ネットワーク・インフラストラクチャ・エンティティは、例えば、非レガシーの端末に対するＡＣＫおよび／またはＮＡＣＫ情報のような肯定応答情報を含むＲＲＢＰフィールドを有するダウンリンク・ブロックを送信する。ＲＲＢＰが、２ビット・データ・フィールドである１つの特定のアプリケーションの場合には、ＲＲＢＰフィールドの一方のビットは、第１のアップリンク・ブロックに対する肯定応答情報を含み、ＲＲＢＰフィールドの他方のビットは、第２の異なるアップリンク・ブロックに対する肯定応答情報を含んでいる。ＲＲＢＰフィールドが、レガシーの端末に対して無効になる２ビット・データ・フィールドである他のアプリケーションの場合には、２ビット・データ・フィールドの一方のビットは、少なくとも２つの異なるアップリンク・データ・ブロックに対する肯定応答情報を含み、２ビット・データ・フィールドの他方のビットは、２つの異なるアップリンク・データ・ブロックとは異なる１つのアップリンク・データ・ブロックに対する肯定応答情報を含んでいる。
【００１９】
図３は、例えば、ＲＬＣ／ＭＡＣダウンリンク・ブロックの、ＲＲＢＰフィールド内のダウンリンク・ブロックの単一ブロック・アップリンク・スケジューリング・フィールド内の非スケジューリング情報を受信するためのトランシーバ３１０を備える非レガシーの移動端末または移動局３００を示す。移動局３００は、トランシーバに通信可能に結合しているコントローラ３２０を含む。コントローラは、ＲＲＢＰフィールドからの非スケジューリング情報を復号するための復号モジュール３２２を含む。端末３００も、図示していないが、通常の当業者にとって周知の入力および出力を含むユーザ・インタフェースを含む。
【００２０】
ＲＲＢＰフィールドが２ビット・データ・フィールドであり、ＲＲＢＰフィールドがレガシーの端末に対して無効になる実施形態の場合には、レガシーの端末は、単一アップリンク・データ・ブロックに対する２ビット・データ・フィールドの一方のビット内の肯定応答情報、および２ビット・データ・フィールドの他方のビット内の異なるアップリンク・ブロックに対する肯定応答情報を受信することができる。他の実施形態の場合には、２ビット・データ・フィールドの一方のビットは、少なくとも２つの分離しているアップリンク・データ・ブロックに対する肯定応答情報を含む。
【００２１】
例えば、基地局、パケット制御装置または移動端末のような図４の無線通信エンティティ４００は、コントローラ４２０と通信可能に結合しているトランシーバ４１０を備える。コントローラは、データからおよび第１の符号語が冗長性を含んでいる誤り訂正符号から第１の符号語を生成するように構成されている。一実施形態の場合には、コントローラは、第１の符号語生成モジュールまたは第１の符号語を生成するための他の論理エンティティ４２２を含む。第１の符号語生成モジュールは、ソフトウェアで容易に実施することができる。
【００２２】
図５のプロセス流れ図においては、ステップ５１０において、無線通信エンティティは、データからおよび第１の符号語が冗長性を含んでいる誤り訂正符号から第１の符号語を生成する。一実施形態の場合には、例えば、ファイア符号のような巡回冗長符号（ＣＲＣ）を使用してデータを符号化する。他の適当な誤り訂正符号としては、ハミング符号、リード・ソロモン符号、低密度パリティ検査符号、Ｂｏｓｅ  Ｒａｙ−Ｃｈａｕｄｈｕｒｉ  Ｈｏｃｑｕｅｎｇｈｅｍ（ＢＣＨ）符号、ターボ符号、および畳み込み符号その他があるが、これらに限定されない。
【００２３】
また、図４のコントローラは、第１の符号語の一部上で追加データを符号化することにより第２の符号語を生成するように構成されている。一実施形態の場合には、コントローラは、第２の符号語生成モジュールまたは第２の符号語を生成するための他の論理エンティティ４２４を含む。第２の符号語生成モジュールも、ソフトウェアで容易に実施することができる。一実施形態の場合には、追加データが符号化される第１の符号語の一部は、第１の符号語、特に誤り訂正符号の誤り訂正能力に含まれている。追加データが符号化される第１の符号語の一部は、隣接していてもよいし、隣接していなくてもよい。誤り訂正符号の誤り訂正能力は、復号器が追加データが符号化された第１の符号語の部分を知っている場合には、通常増大する。
【００２４】
図５においては、ステップ５２０において、無線通信エンティティは、第１の符号語の一部上で追加データを符号化することにより第２の符号語を生成する。一実施形態の場合には、第２の符号語は、第１の符号語の一部上で追加データを排他的論理和することにより生成される。他の実施形態の場合には、第２の符号語は、第１の符号語を追加データにより置換することにより生成される。追加データが符号化される第１の符号語の一部は、第１の符号語、特に誤り訂正符号の誤り訂正能力に含まれている。復号器が追加データがすでに符号化されていること、また追加データが符号化された第１の符号語の一部を知っている場合には、誤り訂正符号の誤り訂正能力は増大する。
【００２５】
一実施形態の場合には、第１の符号語上で符号化された追加データは、例えば、ＡＣＫおよび／またはＮＡＫ情報のような肯定応答情報である。しかし、他の実施形態の場合には、もっと一般的に、他の情報を第１の符号語の一部上で符号化することができる。図４のコントローラも、第２の符号語を符号化するように構成されている。あるアプリケーションの場合には、末尾のビットを、符号化する前に第２の符号語に追加することができる。第２の符号語の符号化は、プロセスが実施される通信プロトコルにより異なる。コントローラは、第２の符号化モジュールまたはこの目的のための他の論理エンティティ４２６を含む。図５のステップ５３０は、符号化を示す。
【００２６】
他の実施形態の場合には、第２の符号語は、例えば、畳み込み符号またはある他の符号のような第１の訂正符号により、データおよび符号語からの追加データを復号することにより形成される。可能な追加データは仮説として取り上げられ、仮説として取り上げられた追加データは第２の符号語上に符号化される。データおよび追加データは、例えば、ファイア符号またはある他の符号のような第２の誤り訂正符号を使用して、第２の符号語から復号される。エラーは、例えば、ファイア符号のような第２の誤り訂正符号を使用して、データおよび追加データ内で検出される。エラー検出中に、１つの許可された残りが形成される。
【００２７】
ＧＥＲＡＮ肯定応答アプリケーションに適しているある実施形態の場合には、第１の符号語は、ファイア符号を使用してデータを符号化することにより形成され、第２の符号語は、第１の符号語の隣接する部分上の肯定応答情報を排他的論理和することにより形成される。あるＧＥＲＡＮアプリケーションの場合には、符号語、第２の符号語は、おそらく、末尾のビットを追加した後で、半分の速度の畳み込み符号器により符号化される。図５のプロセスは、もっと一般的に、例えば、とりわけ、ＵＭＴＳ、ＥＵＴＲＡ、ＷｉＦｉ、ＷｉＭＡＸおよび４Ｇアプリケーションのような他の無線通信プロトコルで使用するための第１の符号語の一部上で他の追加データを符号化するために使用することができる。異なる符号化スキームも使用することができる。例えば、第２の符号語をターボ符号を使用して符号化することができる。
【００２８】
例えば、ＧＥＲＡＮのような非レガシーの無線端末を含むいくつかの無線通信アプリケーションにおいては、第１および第２の端末は、指定の許容範囲内でほぼ同じ搬送周波数により、例えば、基地局またはパケット制御装置のようなネットワーク・インフラストラクチャ・エンティティと同時に通信することができる。ある状況の下では、典型的な基地局の許容範囲は、公称搬送周波数の基地局の約０．０５ｐｐｍであり、典型的なベース端子の許容範囲は、公称搬送周波数の０．１０ｐｐｍである。しかし、これらの例は、許容範囲を制限するためのものではない。一実施形態の場合には、第１の移動端末は、ネットワーク・インフラストラクチャ・エンティティにタイムスロットでデータ・ブロックを送信し、第２の移動端末は、同じタイムスロットで、複数のベクトルを含む高冗長性肯定応答メッセージ（ＨＲＡＭ）を送信する。本開示のこの態様によれば、データ・ブロックおよびＨＲＡＭは、ほぼ同じ搬送周波数で送信され、データ・ブロックおよびＨＲＡＭは直交していないで、データ・ブロックはＨＲＡＭより高い電力レベルで送信され、そのためネットワーク・インフラストラクチャ・エンティティのところでの非可逆的エラーを避けることができる。一実施形態の場合には、ＨＲＡＭは、例えば、そのミッドアンブル部分のようなタイムスロットの一部に含まれている。
【００２９】
それ故、ＧＥＲＡＮ無線通信ネットワーク・インフラストラクチャ・エンティティは、同じタイムスロットで、第１の端末からデータ・ブロックを受信し、第２の端末からＨＲＡＭを受信する。一実施形態の場合には、ＨＲＡＭベクトルは、移動局の一時的なブロックの流れに関連するシーケンスと結合している。他の実施形態の場合には、ＨＲＡＭベクトルは、ＧＳＭ無線通信ネットワーク・インフラストラクチャ・エンティティが位置するセルと関連するシーケンスと結合している。
【００３０】
ＧＥＲＡＮアプリケーションの場合には、レガシーのＧＰＲＳおよびＥＧＰＲＳ端末との相互動作性を維持しながら、本発明の１つまたは複数の部分を実施することにより、待ち時間を少なくともある程度短くすることができる。
【００３１】
所有を確立し、通常の当業者が本発明を実施し使用することができるような方法で、本発明およびその最善の形態を説明してきたが、本明細書に記載する例示的実施形態と等価のものが存在し、例示的実施形態により制限されずに添付の特許請求の範囲によって制限される本発明の精神および範囲から逸脱することなしに、種々の修正および変更を行うことができることを理解することができるだろう。
【図面の簡単な説明】
【００３２】
【図１】無線通信ネットワーク。
【図２】無線通信ネットワーク・インフラストラクチャ・エンティティ。
【図３】移動体無線通信端末。
【図４】無線通信ネットワーク・エンティティ。
【図５】プロセス流れ図。
【図１】
2009538050.tif 000003
【図２】
2009538050.tif 000004
【図３】
2009538050.tif 000005
【図４】
2009538050.tif 000006
【図５】
2009538050.tif 000007
【国際調査報告】
2009538050.tif 000008